【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
ハニカム構造と該ハニカム構造上の薄め塗膜層とを含む触媒コンバータであって、該薄め塗膜層は、ナノ粒子とミクロンサイズの酸化物粒子とを含み、該ナノ粒子は、ナノ活性材料とナノ支持部とを含む、触媒コンバータ。
【請求項２】
請求項１に記載の触媒コンバータにおけるキンセイ石基板であって、該キンセイ石基板は、
ａ．第１のナノ活性材料と第１のナノ支持部とを含む第１の型のナノ粒子と、
ｂ．第２のナノ活性材料と第２のナノ支持部とを含む第２の型のナノ粒子と、
ｃ．第３のナノ活性材料と第３のナノ支持部とを含む第３の型のナノ粒子と
を含む、キンセイ石基板。
【請求項３】
触媒コンバータを作製する方法であって、該方法は、
ａ．少なくとも１つのナノ粒子を用いて分散を生成することであって、該ナノ粒子は、ナノ活性材料と、ナノ支持部とを含む、ことと、
ｂ．ミクロンサイズの酸化物粒子を含む薄め塗膜を得ることと
を含む、方法。
【請求項４】
前記分散を生成することは、
ａ．高温凝縮技術でキャリア材料と異なる触媒材料とを混合し、それによって、前記少なくとも１つのナノ粒子を生成することと、
ｂ．液体と化合することと
を含む、請求項３に記載の方法。
【請求項５】
前記異なる触媒材料は、白金と、パラジウムと、ロジウムとを含む、請求項４に記載の方法。
【請求項６】
前記分散を生成することは、
ａ．高温凝縮技術でキャリア材料と第１の触媒材料とを混合し、それによって、第１の型のナノ粒子を生成することと、
ｂ．該高温凝縮技術で該キャリア材料と第２の触媒材料とを混合し、それによって、第２の型のナノ粒子を生成することと、
ｃ．該高温凝縮技術で該キャリア材料と第３の触媒材料とを混合し、それによって、第３の型のナノ粒子を生成することと、
ｄ．該第１の型のナノ粒子と、該第２の型のナノ粒子と、第３の型のナノ粒子とを一緒にして集めることと、
ｅ．液体と化合することと
を含む、請求項３に記載の方法。
【請求項７】
前記キャリア材料は、アルミナである、請求項４または６に記載の方法。
【請求項８】
Ａ）ａ．前記分散と前記薄め塗膜とを混合することと、
ｂ．該混合をモノリスに適用することと、
ｃ．該モノリスを乾燥させることと、
ｄ．該モノリスをか焼することと
をさらに含むか、または、
Ｂ）ａ．該薄め塗膜をモノリスに適用することと、
ｂ．該モノリスを乾燥させることと、
ｃ．該モノリスをか焼することと、
ｄ．該分散を該モノリスに与えることと、
ｅ．該モノリスを乾燥させることと、
ｆ．該モノリスをか焼することと
をさらに含む、請求項３に記載の方法。
【請求項９】
ａ）三元触媒コンバータを作製する方法であって、異なる型のナノ粒子を用いることによって前記分散を生成することをさらに含む方法であるか、または、
ｂ）二元触媒コンバータを作製する方法であって、１つの型のナノ粒子を用いることによって該分散を生成することをさらに含む方法である、請求項８に記載の方法。
【請求項１０】
前記ナノ活性材料は、パラジウム、ロジウム、または白金である、請求項１に記載の触媒コンバータ。
【請求項１１】
前記ナノ活性材料は、合金である、請求項１に記載の触媒コンバータ。
【請求項１２】
前記生成することは、高温凝縮技術を用いることを含む、請求項３〜９のうちのいずれか１項に記載の方法。
【請求項１３】
前記高温凝縮技術は、プラズマである、請求項１２に記載の方法。
【請求項１４】
前記ナノ支持部は、アルミナである、請求項１に記載の触媒コンバータ。
【請求項１５】
前記ナノ支持部は、部分的に還元されたアルミナ表面を含み、該部分的に還元されたアルミナ表面は、該ナノ支持部の表面上の前記ナノ活性材料の動きを制限するように構成されている、請求項１に記載の触媒コンバータ。
【請求項１６】
請求項１に記載の触媒コンバータにおけるキンセイ石基板であって、該キンセイ石基板は、
ａ．第１のナノ活性材料と第１のナノ支持部とを含む第１の型のナノ粒子と、
ｂ．第２のナノ活性材料と第２のナノ支持部とを含む第２の型のナノ粒子と
を含む、キンセイ石基板。
【請求項１７】
前記ハニカム構造は、キンセイ石基板である、請求項１に記載の触媒コンバータ。
【請求項１８】
触媒コンバータにおけるキンセイ石基板であって、該キンセイ石基板は、
ａ．第１の型のナノ粒子と、
ｂ．第２の型のナノ粒子と、
ｃ．第３の型のナノ粒子と
を含む、キンセイ石基板。
【請求項１９】
前記ナノ活性材料は、パラジウム、ロジウム、または白金である、請求項２に記載のキンセイ石基板。
【請求項２０】
前記ナノ活性材料は、パラジウム、ロジウム、または白金である、請求項３〜９のうちのいずれか１項に記載の方法。
【請求項２１】
前記ナノ活性材料は、合金である、請求項３〜９のうちのいずれか１項に記載の方法。
【請求項２２】
前記ナノ支持部は、アルミナである、請求項２に記載のキンセイ石基板。
【請求項２３】
前記ナノ支持部は、アルミナである、請求項３〜９のうちのいずれか１項に記載の方法。
【請求項２４】
前記ナノ支持部は、部分的に還元されたアルミナ表面を含み、該部分的に還元されたアルミナ表面は、該ナノ支持部の表面上の前記ナノ活性材料の動きを制限するように構成されている、請求項２に記載のキンセイ石基板。
【請求項２５】
前記ナノ支持部は、部分的に還元されたアルミナ表面を含み、該部分的に還元されたアルミナ表面は、該ナノ支持部の表面上の前記ナノ活性材料の動きを制限するように構成されている、請求項３〜９のうちのいずれか１項に記載の方法。
【請求項２６】
前記第１の触媒材料は、白金であり、前記第２の触媒材料は、パラジウムであり、前記第３の触媒材料は、ロジウムである、請求項６に記載の方法。
【手続補正２】
【補正対象書類名】明細書
【補正対象項目名】００１４
【補正方法】変更
【補正の内容】
【００１４】
さらに別の局面において、二元触媒コンバータを作製する方法は、同じ型のナノ粒子を用いて分散を生成することと、薄め塗膜を得ることと、薄め塗膜をモノリスに適用することと、モノリスを乾燥させることと、モノリスをか焼することと、分散をモノリスに与えることと、モノリスを乾燥させることと、モノリスをか焼することとを含む。生成するステップは、高温凝縮技術を用いることを含む。いくつかの実施形態において、高温凝縮技術は、プラズマである。同じ型のナノ粒子の各々は、ナノ活性材料と、ナノ支持部とを含む。ナノ活性材料は、白金である。ナノ支持部は、アルミナである。ナノ支持部は、部分的に還元されたアルミナ表面を含み、部分的に還元されたアルミナ表面は、ナノ支持部の表面上のナノ活性材料の動きを制限する。
本願明細書は、例えば、以下の項目も提供する。
（項目１）
ハニカム構造を含む触媒コンバータであって、該ハニカム構造は、該ハニカム構造上に少なくとも１つのナノ粒子を有する、触媒コンバータ。
（項目２）
前記少なくとも１つのナノ粒子は、ナノ活性材料と、ナノ支持部とを含む、項目１に記載の触媒コンバータ。
（項目３）
前記ナノ活性材料は、白金である、項目２に記載の触媒コンバータ。
（項目４）
前記ナノ活性材料は、パラジウムである、項目２に記載の触媒コンバータ。
（項目５）
前記ナノ活性材料は、ロジウムである、項目２に記載の触媒コンバータ。
（項目６）
前記ナノ活性材料は、合金である、項目２に記載の触媒コンバータ。
（項目７）
前記ナノ支持部は、アルミナである、項目２に記載の触媒コンバータ。
（項目８）
前記ナノ支持部は、部分的に還元されたアルミナ表面を含み、該部分的に還元されたアルミナ表面は、該ナノ支持部の表面上の前記ナノ活性材料の動きを制限するように構成される、項目２に記載の触媒コンバータ。
（項目９）
触媒コンバータにおけるキンセイ石基板であって、
ａ．第１の型のナノ粒子と、
ｂ．第２の型のナノ粒子と、
ｃ．第３の型のナノ粒子と
を含む、キンセイ石基板。
（項目１０）
前記第１の型のナノ粒子は、ナノ活性材料と、ナノ支持部とを含む、項目９に記載のキンセイ石基板。
（項目１１）
前記ナノ活性材料は、白金である、項目１０に記載のキンセイ石基板。
（項目１２）
前記ナノ支持部は、アルミナである、項目１０に記載のキンセイ石基板。
（項目１３）
前記ナノ支持部は、部分的に還元されたアルミナ表面を含み、該部分的に還元されたアルミナ表面は、該ナノ支持部の表面上の前記ナノ活性材料の動きを制限するように構成される、項目１０に記載のキンセイ石基板。
（項目１４）
前記第２の型のナノ粒子は、ナノ活性材料と、ナノ支持部とを含む、項目９に記載のキンセイ石基板。
（項目１５）
前記ナノ活性材料は、パラジウムである、項目１４に記載のキンセイ石基板。
（項目１６）
前記ナノ支持部は、アルミナである、項目１４に記載のキンセイ石基板。
（項目１７）
前記ナノ支持部は、部分的に還元されたアルミナ表面を含み、該部分的に還元されたアルミナ表面は、該ナノ支持部の表面上の前記ナノ活性材料の動きを制限するように構成される、項目１４に記載のキンセイ石基板。
（項目１８）
前記第３の型のナノ粒子は、ナノ活性材料と、ナノ支持部とを含む、項目９に記載のキンセイ石基板。
（項目１９）
前記ナノ活性材料は、ロジウムである、項目１８に記載のキンセイ石基板。
（項目２０）
前記ナノ支持部は、アルミナである、項目１８に記載のキンセイ石基板。
（項目２１）
前記ナノ支持部は、部分的に還元されたアルミナ表面を含み、該部分的に還元されたアルミナ表面は、該ナノ支持部の表面上の前記ナノ活性材料の動きを制限するように構成される、項目１８に記載のキンセイ石基板。
（項目２２）
触媒コンバータを作製する方法であって、
ａ．少なくとも１つのナノ粒子を用いて分散を生成することと、
ｂ．薄め塗膜を得ることと
を包含する、方法。
（項目２３）
前記少なくとも１つのナノ粒子は、ナノ活性材料と、ナノ支持部とを含む、項目２２に記載の方法。
（項目２４）
前記ナノ活性材料は、白金である、項目２３に記載の方法。
（項目２５）
前記ナノ活性材料は、パラジウムである、項目２３に記載の方法。
（項目２６）
前記ナノ活性材料は、ロジウムである、項目２３に記載の方法。
（項目２７）
前記ナノ活性材料は、合金である、項目２３に記載の方法。
（項目２８）
前記ナノ支持部は、アルミナである、項目２３に記載の方法。
（項目２９）
前記ナノ支持部は、部分的に還元されたアルミナ表面を含み、該部分的に還元されたアルミナ表面は、該ナノ支持部の表面上の前記ナノ活性材料の動きを制限するように構成される、項目２３に記載の方法。
（項目３０）
前記生成することは、
ａ．高温凝縮技術でキャリア材料と、異なる触媒材料とを混合し、それによって、前記少なくとも１つのナノ粒子を生成することと、
ｂ．液体と化合することと
を包含する、項目２２に記載の方法。
（項目３１）
前記キャリア材料は、アルミナである、項目３０に記載の方法。
（項目３２）
前記異なる触媒材料は、白金と、パラジウムと、ロジウムとを含む、項目３０に記載の方法。
（項目３３）
前記高温凝縮技術は、プラズマである、項目３０に記載の方法。
（項目３４）
前記生成することは、
ａ．高温凝縮技術でキャリア材料と第１の触媒材料とを混合し、それによって、第１の型のナノ粒子を生成することと、
ｂ．該高温凝縮技術で該キャリア材料と第２の触媒材料とを混合し、それによって、第２の型のナノ粒子を生成することと、
ｃ．該高温凝縮技術で該キャリア材料と第３の触媒材料とを混合し、それによって、第３の型のナノ粒子を生成することと、
ｄ．該第１の型のナノ粒子と、該第２の型のナノ粒子と、該第３の型のナノ粒子とを一緒にして集めることと、
ｅ．液体と化合することと
を包含する、項目２２に記載の方法。
（項目３５）
前記キャリア材料は、アルミナである、項目３４に記載の方法。
（項目３６）
前記第１の触媒材料は、白金である、項目３４に記載の方法。
（項目３７）
前記第２の触媒材料は、パラジウムである、項目３４に記載の方法。
（項目３８）
前記第３の触媒材料は、ロジウムである、項目３４に記載の方法。
（項目３９）
前記高温凝縮技術は、プラズマである、項目３４に記載の方法。
（項目４０）
ａ．前記分散と前記薄め塗膜とを混合することと、
ｂ．該混合をモノリスに適用することと、
ｃ．該モノリスを乾燥させることと、
ｄ．該モノリスをか焼することと
をさらに包含する、項目２２に記載の方法。
（項目４１）
ａ．前記薄め塗膜をモノリスに適用することと、
ｂ．該モノリスを乾燥させることと、
ｃ．該モノリスをか焼することと、
ｄ．前記分散を該モノリスに与えることと、
ｅ．該モノリスを乾燥させることと、
ｆ．該モノリスをか焼することと
をさらに包含する、項目２２に記載の方法。
（項目４２）
三元触媒コンバータを作製する方法であって、
ａ．異なる型のナノ粒子を用いることによって分散を生成することと、
ｂ．薄め塗膜を得ることと、
ｃ．該分散と該薄め塗膜とを混合することと、
ｄ．該混合をモノリスに適用することと、
ｅ．該モノリスを乾燥させることと、
ｆ．該モノリスをか焼することと
を包含する、方法。
（項目４３）
前記生成することは、高温凝縮技術を用いることを包含する、項目４２に記載の方法。
（項目４４）
前記高温凝縮技術は、プラズマである、項目４２に記載の方法。
（項目４５）
前記異なる型のナノ粒子の各々は、ナノ活性材料と、ナノ支持部とを含む、項目４２に記載の方法。
（項目４６）
前記ナノ活性材料は、白金である、項目４５に記載の方法。
（項目４７）
前記ナノ活性材料は、パラジウムである、項目４５に記載の方法。
（項目４８）
前記ナノ活性材料は、ロジウムである、項目４５に記載の方法。
（項目４９）
前記ナノ活性材料は、合金である、項目４５に記載の方法。
（項目５０）
前記ナノ支持部は、アルミナである、項目４５に記載の方法。
（項目５１）
前記ナノ支持部は、部分的に還元されたアルミナ表面を含み、該部分的に還元されたアルミナ表面は、該ナノ支持部の表面上の前記ナノ活性材料の動きを制限するように構成される、項目４５に記載の方法。
（項目５２）
三元触媒コンバータを作製する方法であって、
ａ．異なる型のナノ粒子を用いて分散を生成することと、
ｂ．薄め塗膜を得ることと、
ｃ．該薄め塗膜をモノリスに適用することと、
ｄ．該モノリスを乾燥させることと、
ｅ．該モノリスをか焼することと、
ｆ．該分散を該モノリスに与えることと、
ｇ．該モノリスを乾燥させることと、
ｈ．該モノリスをか焼することと
を包含する、方法。
（項目５３）
前記生成することは、高温凝縮技術を用いることを包含する、項目５２に記載の方法。
（項目５４）
前記高温凝縮技術は、プラズマである、項目５３に記載の方法。
（項目５５）
前記異なる型のナノ粒子の各々は、ナノ活性材料と、ナノ支持部とを含む、項目５２に記載の方法。
（項目５６）
前記ナノ活性材料は、白金である、項目５５に記載の方法。
（項目５７）
前記ナノ活性材料は、パラジウムである、項目５４に記載の方法。
（項目５８）
前記ナノ活性材料は、ロジウムである、項目５５に記載の方法。
（項目５９）
前記ナノ活性材料は、合金である、項目５５に記載の方法。
（項目６０）
前記ナノ支持部は、アルミナである、項目５５に記載の方法。
（項目６１）
前記ナノ支持部は、部分的に還元されたアルミナ表面を含み、該部分的に還元されたアルミナ表面は、該ナノ支持部の表面上の前記ナノ活性材料の動きを制限するように構成される、項目５５に記載の方法。
（項目６２）
二元触媒コンバータを作製する方法であって、
ａ．同じ型のナノ粒子を用いることによって分散を生成することと、
ｂ．薄め塗膜を得ることと、
ｃ．該分散と該薄め塗膜とを混合することと、
ｄ．該混合をモノリスに適用することと、
ｅ．該モノリスを乾燥させることと、
ｆ．該モノリスをか焼することと
を包含する、方法。
（項目６３）
前記生成することは、高温凝縮技術を用いることを包含する、項目６２に記載の方法。
（項目６４）
前記高温凝縮技術は、プラズマである、項目６３に記載の方法。
（項目６５）
前記同じ型のナノ粒子の各々は、ナノ活性材料と、ナノ支持部とを含む、項目６２に記載の方法。
（項目６６）
前記ナノ活性材料は、白金である、項目６５に記載の方法。
（項目６７）
前記ナノ支持部は、アルミナである、項目６５に記載の方法。
（項目６８）
前記ナノ支持部は、部分的に還元されたアルミナ表面を含み、該部分的に還元されたアルミナ表面は、該ナノ支持部の表面上の前記ナノ活性材料の動きを制限するように構成される、項目６５に記載の方法。
（項目６９）
二元触媒コンバータを作製する方法であって、
ａ．同じ型のナノ粒子を用いて分散を生成することと、
ｂ．薄め塗膜を得ることと、
ｃ．該薄め塗膜をモノリスに適用することと、
ｄ．該モノリスを乾燥させることと、
ｅ．該モノリスをか焼することと、
ｆ．該分散を該モノリスに与えることと、
ｇ．該モノリスを乾燥させることと、
ｈ．該モノリスをか焼することと
を包含する、方法。
（項目７０）
前記生成することは、高温凝縮技術を用いることを包含する、項目６９に記載の方法。
（項目７１）
前記高温凝縮技術は、プラズマである、項目７０に記載の方法。
（項目７２）
前記同じ型のナノ粒子の各々は、ナノ活性材料と、ナノ支持部とを含む、項目６９に記載の方法。
（項目７３）
前記ナノ活性材料は、白金である、項目７２に記載の方法。
（項目７４）
前記ナノ支持部は、アルミナである、項目７１に記載の方法。
（項目７５）
前記ナノ支持部は、部分的に還元されたアルミナ表面を含み、該部分的に還元されたアルミナ表面は、該ナノ支持部の表面上の前記ナノ活性材料の動きを制限するように構成される、項目７２に記載の方法。